(57)【要約】      （修正有）【課題】ケーブルグランド適用によるシール効果を得つつ、ケーブルグランドの支持穴寸法より大きいコネクタを実装したケーブルを筐体に取り付けることができる、ケーブル固定装置を提供する。【解決手段】ケーブル固定装置は、コネクタが取り付けられたケーブルと、ケーブルに取り付けられたケーブルグランド１と、ケーブルグランド１が取り付けられた取付板３とを備える。取付板３には、切欠き１７が設けられており、取付板３の縁部に開口している。ケーブルグランド１は、切欠き１７内に配置されて取付板３に支持されており、開口１９から切欠き１７内に配置可能である。コネクタは、切欠き１７を通るケーブルの延長方向からは、切欠き１７を通り抜けることができない大きさを有している。取付板３は、被固定対象に固定される。【選択図】図８
2017103970.tif 000002
【特許請求の範囲】
【請求項１】
コネクタが取り付けられたケーブルと、
前記ケーブルに取り付けられたケーブルグランドと、
前記ケーブルグランドが取り付けられた取付板とを備え、
前記取付板には、切欠きが設けられており、
前記切欠きは、前記取付板の縁部に開口しており、
前記ケーブルグランドは、前記切欠き内に配置されて前記取付板に支持されており、
前記ケーブルグランドは、前記開口から前記切欠き内に配置可能であり、
前記コネクタは、前記切欠きを通る前記ケーブルの延長方向からは、前記切欠きを通り抜けることができない大きさを有しており、
前記取付板は、被固定対象に固定される、
ケーブル固定装置。
【請求項２】
前記ケーブルグランドの一側面には、相互固定用突起が設けられており、前記ケーブルグランドの前記一側面との反対面には、相互固定用溝が設けられている、
請求項１のケーブル固定装置。
【請求項３】
ケーブルにケーブルグランドおよびコネクタが取り付けられた加工済みのケーブルと、縁部に開口した切欠きを有する取付板とを用意し、
前記加工済みのケーブルを、前記開口からスライドさせて前記切欠き内に配置し、
前記加工済みのケーブルを支持する前記取付板を、被固定対象に固定する、
ケーブル固定方法。
【発明の詳細な説明】
【技術分野】
【０００１】
本発明は、ケーブル固定装置およびケーブル固定方法に関するものである。
【背景技術】
【０００２】
ケーブルを電気機器の筐体に引き込む際、その引き込む部分の防塵、防滴、防水のために用いられているものとして、ケーブルグランドがある（例えば特許文献１参照）。一般に、ケーブルグランドは筐体に開けられた丸穴に挿入して固定される。その丸穴で、ケーブルグランドが支持される。しかし、ケーブルに外形寸法が大きいコネクタを取り付けてしまうと、コネクタが丸穴を通らなくなり、筐体にケーブルグランドを取り付けられなくなる。
【０００３】
これを回避するためには、ケーブルグランドとコネクタとを併用する場合、筐体へのケーブルグランドの取り付けとケーブルの挿入とを行った後で、コネクタの取り付けを行う必要がある。
【０００４】
エレベータの場合、長いケーブルを筐体に取り付けて出荷すると現場での据付作業性が悪くなる。一方、コネクタの取り付けすなわちコネクタハウジングへのピン挿入を現地作業とすると、ピン挿入箇所を間違えた結果、機器が正常動作しなかったり、故障したりする懸念がある。このように、エレベータにおけるケーブルグランドの使用においては、上記のような不便な面があり、特有の課題が存在しているのが実情である。
【先行技術文献】
【特許文献】
【０００５】
【特許文献１】特開２００７−３７３６４号公報
【発明の概要】
【発明が解決しようとする課題】
【０００６】
本発明は、上記に鑑みてなされたものであり、ケーブルグランド適用によるシール効果を得つつ、ケーブルグランドの支持穴寸法より大きいコネクタを実装したケーブルを筐体に取り付けることができる、ケーブル固定装置を提供することを目的とする。
【課題を解決するための手段】
【０００７】
上述した目的を達成するため、本発明のケーブル固定装置は、コネクタが取り付けられたケーブルと、前記ケーブルに取り付けられたケーブルグランドと、前記ケーブルグランドが取り付けられた取付板とを備え、前記取付板には、切欠きが設けられており、前記切欠きは、前記取付板の縁部に開口しており、前記ケーブルグランドは、前記切欠き内に配置されて前記取付板に支持されており、前記ケーブルグランドは、前記開口から前記切欠き内に配置可能であり、前記コネクタは、前記切欠きを通る前記ケーブルの延長方向からは、前記切欠きを通り抜けることができない大きさを有しており、前記取付板は、被固定対象に固定される。
【発明の効果】
【０００８】
本発明によれば、ケーブルグランド適用によるシール効果を得つつ、ケーブルグランドの支持穴寸法より大きいコネクタを実装したケーブルを筐体に取り付けることができる。
【図面の簡単な説明】
【０００９】
【図１】本実施の形態１のケーブル固定装置におけるケーブルグランドを示す図である。
【図２】図１の矢印ＩＩからみたケーブルグランドを示す図である。
【図３】図１の矢印ＩＩＩからみたケーブルグランドを示す図である。
【図４】図１の矢印ＩＶからみたケーブルグランドを示す図である。
【図５】本実施の形態１のケーブル固定装置における取付板を示す図である。
【図６】筐体の固定対象部を示す図である。
【図７】ケーブルグランドを取付板にセットする過程を示す図である。
【図８】図７の矢印ＶＩＩＩからみたときの、図７の過程を示す図である。
【図９】ケーブル固定装置を、筐体に取り付ける過程を示す図である。
【図１０】ケーブル固定装置の、筐体への取り付けが完了した状態を示す図である。
【図１１】図１０の矢印ＸＩからみたときの、図１０の状態を示す図である。
【図１２】ケーブルの取り付けが完了した筐体全体の状態を示す図である。
【図１３】図１２の矢印ＸＩＩＩからみたときの、図１２の状態を示す図である。
【発明を実施するための形態】
【００１０】
以下、本発明の実施の形態について添付図面に基づいて説明する。なお、図中、同一符号は同一又は対応部分を示すものとする。
【００１１】
実施の形態１．
図１は、本実施の形態１のケーブル固定装置におけるケーブルグランドを示す図である。図２は、図１の矢印ＩＩからみたケーブルグランドを示す図である。図３は、図１の矢印ＩＩＩからみたケーブルグランドを示す図である。図４は、図１の矢印ＩＶからみたケーブルグランドを示す図である。図５は、本実施の形態１のケーブル固定装置における取付板を示す図である。
【００１２】
エレベータの昇降路には、かごと、そのがごを昇降させる巻上機が設けられている。かごや巻上機、さらには制御装置には、様々な信号や電力供給等を行うためのケーブルが接続されている。ケーブルは、昇降路内を長く延びている。
【００１３】
ケーブル固定装置は、ケーブルグランド１と、取付板３とを備えている。
【００１４】
ケーブルグランド１は、ケーブルを機器の本体に引き込むために用いられている。ケーブルグランド１は、締付キャップ５と、本体７と、シール材９と、シール材押さえ板１１と、ロックナット１３とを備えている。
【００１５】
本体７は、筒状の部材であり、軸方向の中央に、径方向外側に広がる鍔状部を有している。鍔状部は、図３および図４に示されているように、軸方向に沿って見て、すなわち、平面視、矩形の輪郭を有している。
【００１６】
本体７の軸方向の両端部は、円筒状に形成されており、円筒の外周面には、ねじ溝が形成されている。締付キャップ５は、筒状の部材であり、本体７の一端部の外周にねじ込まれている。
【００１７】
シール材９は、筒状の部材であり、本体７の他端部に、取り付けられている。さらに、本体７の他端部には、環状のシール材押さえ板１１が取り付けられている。シール材９は、本体７の鍔状部と、シール材押さえ板１１とによって挟まれている。
【００１８】
さらに、本体７の他端部には、ロックナット１３が取り付けられている。ロックナット１３は、筒状の部材であり、本体７の他端部の外周にねじ込まれている。ロックナット１３をねじ込むことによって、ロックナット１３と、本体７の鍔状部との間に、シール材９およびシール材押さえ板１１が押さえつけられている。
【００１９】
取付板３は、平面視、長方形のプレートがベースとなっている。取付板３における長方形の四隅には、ねじ通し穴１５が設けられている。
【００２０】
さらに、取付板３には、切欠き１７が設けられている。切欠き１７は、取付板３の縁部に開口しており、すなわち、平面視、取付板３における長方形の一つの短辺に、開口１９が設けられている。切欠き１７は、平面視、取付板３における長方形の長辺の延びる方向に、延びている。切欠き１７は、平面視、取付板３における長方形の長辺の延びる方向に、延びる一対の相互に平行なアウトライン１７ａ，１７ｂを有している。さらに、切欠き１７は、平面視、取付板３における長方形の短辺の延びる方向に、延びるアウトライン１７ｃを有している。このアウトライン１７ｃは、一対のアウトライン１７ａ，１７ｂの一端部同士を接続する。一対のアウトライン１７ａ，１７ｂの他端部は、上述した開口１９につながる。
【００２１】
次に、上述したケーブル固定装置を用いた、ケーブルの固定方法について説明する。図６は、筐体の固定対象部を示す図である。図７は、ケーブルグランドを取付板にセットする過程を示す図である。図８は、図７の矢印ＶＩＩＩからみたときの、図７の過程を示す図である。図９は、ケーブル固定装置を、筐体に取り付ける過程を示す図である。図１０は、ケーブル固定装置の、筐体への取り付けが完了した状態を示す図である。図１１は、図１０の矢印ＸＩからみたときの、図１０の状態を示す図である。図１２は、ケーブルの取り付けが完了した筐体全体の状態を示す図である。図１３は、図１３の矢印ＸＩＩＩからみたときの、図１３の状態を示す図である。
【００２２】
まず、被固定対象について説明すると、取付板３を実装するための筐体２１の被取付部には、貫通穴２３が設けられている。この筐体２１は、一例を挙げると、公知のエレベータに設けられている接続箱である。貫通穴２３は、ケーブル２５と、そのケーブル２５に設けられたコネクタ２７とが、通り抜けるのに十分な寸法となっている。
【００２３】
また、被固定対象である筐体２１における貫通穴２３の周囲には、４つの第１ねじ穴２９と、１つの第２ねじ穴３１とが設けられている。第１ねじ穴２９は、前述したねじ通し穴１５に対応して設けられている。一方、第２ねじ穴３１は、後述する端部塞ぎ部材３３の取り付けに使用される。
【００２４】
まず、ケーブルグランド１に、ケーブル２５を通し、その後、ケーブル２５の端部に、コネクタ２７を取り付ける。この作業は、工場で行われ、このようにケーブルグランド１およびコネクタ２７がセットされたケーブル２５は、加工済みのケーブル３５として、出荷される。
【００２５】
続いて、エレベータの据付現場において、この加工済みケーブル３５を、取付板３に固定する。その作業イメージは、図７および図８に示す通りである。取付板３に設けられた切欠き１７に対して、横から、すなわち、開口１９から、加工済みケーブル３５を、スライドさせて挿入する。加工済みケーブル３５は、ケーブルグランド１が切欠き１７内に配置された状態で、取付板３に支持される。また、このとき、ケーブルグランド１のそれぞれのシール材９が、取付板３の切欠き１７の画定端面に当接する。すなわち、この切欠き１７が、ケーブルグランド１に対する支持穴となり、防塵、防滴または防水といったシール効果を確保する支持穴となる。また、切欠き１７は、取付板３の厚み方向を、すなわち、切欠き１７の貫通方向を、ケーブル２５の延長方向とした場合、コネクタ２７自体は、この延長方向からは、切欠き１７を通り抜けることはできない大きさを有している。
【００２６】
本発明として特に限定するわけではないが、一つの取付板３に、複数のケーブル２５を支持させる場合、複数の加工済みケーブル３５を、順次、スライドさせて取付板３にセットする。このとき、それぞれのケーブルグランド１の本体７の矩形の一辺に、相互固定用突起７ａを設け、それぞれの本体７において上記一辺と対向する辺に、相互固定用溝７ｂを設けておくとよい。これにより、隣り合ったケーブルグランド同士の相互固定用突起７ａと相互固定用溝７ｂとを、はめ合わせて固定することで、ケーブルグランド１の配置を整え、位置ずれを防止する効果が得られる。
【００２７】
そのうえで、図９に示されるように、ケーブル２５を、その端部すなわちコネクタ２７から筐体２１の貫通穴２３に挿入する。そして、取付板３を、ねじによって、筐体２１に固定する。
【００２８】
この後、ロックナット１３を回して、各ケーブルグランド１を取付板３に固定する。さらにその後、取付板３の端部の切欠き１７の開口１９を埋めるため、図１１〜図１３に示されるように、端部塞ぎ部材３３を取り付け、本発明に関係する作業は完了となる。
【００２９】
上述した本実施の形態によれば、ケーブルグランドを適用する場合でも、コネクタの取り付けという端末加工のプリアセンブリ化が可能となる。すなわち、ケーブルグランド適用による防塵効果、防滴効果、または防水効果といった保護効果を得ることが可能でありながら、ケーブルグランドの支持穴の寸法よりも大きいコネクタを実装したケーブルを筐体に取り付けることができる。つまり、ケーブルグランド適用による保護効果の獲得と、据付現場における作業省力化との、双方のメリットを享受できる。
【００３０】
以上、好ましい実施の形態を参照して本発明の内容を具体的に説明したが、本発明の基本的技術思想及び教示に基づいて、当業者であれば、種々の改変態様を採り得ることは自明である。
【００３１】
例えば、本発明における相互固定用突起および相互固定用溝は、ケーブルグランドの本体に形成されていることには限定されず、ケーブルグランド１のそれぞれの一側面とその反対面とに設けられている対応を広く含む。
【符号の説明】
【００３２】
１  ケーブルグランド、３  取付板、７ａ  相互固定用突起、７ｂ  相互固定用溝、１７  切欠き、１９  開口、２１  筐体、２５  ケーブル、２７  コネクタ、３５  加工済みのケーブル。
【図１】
2017103970.tif 000003
【図２】
2017103970.tif 000004
【図３】
2017103970.tif 000005
【図４】
2017103970.tif 000006
【図５】
2017103970.tif 000007
【図６】
2017103970.tif 000008
【図７】
2017103970.tif 000009
【図８】
2017103970.tif 000010
【図９】
2017103970.tif 000011
【図１０】
2017103970.tif 000012
【図１１】
2017103970.tif 000013
【図１２】
2017103970.tif 000014
【図１３】
2017103970.tif 000015